(57)【特許請求の範囲】
【請求項１】
建物の軸組の室内側に取付けられる金属製内壁枠のうち、前記軸組の葺き下ろし部に取付けられる葺き下ろし枠の上部を前記軸組の構造体を形成する葺き下ろし梁に取付ける際に用いる葺き下ろし用固定金具であって、その中央部の長さ方向上端側縁と下端側縁に前記葺き下ろし梁の室内側開口部を嵌め込み支持する嵌め込み片を有する本体と、該本体の長さ方向下方と接続し、前記葺き下ろし枠の上方の室内側面に取付け固定する取付け片とからなることを特徴とする葺き下ろし用固定金具。
【発明の詳細な説明】
【０００１】
【発明の属する技術分野】
本発明は、建物の軸組の室内側に取付けられる金属製内壁枠のうち、前記軸組の葺き下ろし部に取付けられる葺き下ろし枠の上部を前記軸組の構造体を形成する葺き下ろし梁に取付ける際に用いる葺き下ろし用固定金具に関する。
【０００２】
【従来の技術】
金属製内壁枠自体が新しい構成であるため、建物の軸組の室内側に取付けられる金属製内壁枠のうち、前記軸組の葺き下ろし部に取付けられる葺き下ろし枠の上部を前記軸組の構造体を形成する葺き下ろし梁に取付ける好適な従来の技術というものは存在しなかった。
【０００２】
【発明が解決しようとする課題】
本発明は、建物の軸組の室内側に取付けられる金属製内壁枠のうち、前記軸組の葺き下ろし部に取付けられる葺き下ろし枠の上部を前記軸組の構造体を形成する葺き下ろし梁に取付ける際に用いる葺き下ろし用固定金具を提供することを目的とするものである。
【０００３】
【課題を解決するための手段】
請求項１に記載の葺き下ろし用固定金具は、建物の軸組の室内側に取付けられる金属製内壁枠のうち、前記軸組の葺き下ろし部に取付けられる葺き下ろし枠の上部を前記軸組の構造体を形成する葺き下ろし梁に取付ける際に用いる葺き下ろし用固定金具であって、その中央部の長さ方向上端側縁と下端側縁に前記葺き下ろし梁の室内側開口部を嵌め込み支持する嵌め込み片を有する本体と、該本体の長さ方向下方と接続し、前記葺き下ろし枠の上方の室内側面に取付け固定する取付け片とからなることを特徴とするものである。
【０００４】
【発明の実施の形態】
本発明の実施形態に係る葺き下ろし用固定金具１は、建物の軸組２４の室内側に取付けられる金属製内壁枠のうち、前記軸組２４の葺き下ろし部を形成する葺き下ろし梁２９に葺き下ろし枠１４の上部を取付ける際に用いるためのものである。
以下、前記葺き下ろし用固定金具１について図面に基づいて説明する。
【０００５】
葺き下ろし用固定金具１は、図１、図２および図７に示すように、全体が金属製の薄板からなり、建物の軸組２４の葺き下ろし部を形成する葺き下ろし梁２９の室内側面に取付けられる本体２と、該本体２に接続された前記葺き下ろし梁２９の室内側開口部３２を嵌め込み支持する嵌め込み片３と、前記本体２の下方と接続し、かつ前記葺き下ろし枠１４の上方を取付け固定する取付け片５とを備えている。また、該取付け片５には、取付け孔６が設けられており、ビス等の固定具により前記葺き下ろし枠１４を前記葺き下ろし用固定金具１に取付ける構造としている。
【０００６】
前記本体２は、図１および図２に示すように、その中央部４の長さ方向上端に部分的に形成された延出部分である上端部７と、該上端部７と同様に前記本体２の中央部４の長さ方向下端に部分的に形成された延出部分である下端部８とを備えており、前記上端部７および下端部８と前記嵌め込み片３とで図４および図６に示す葺き下ろし梁２９の室内側開口部３２を嵌め込み支持する構造としている。このとき、図２および図７に示すように、前記中央部４の長さＬは、葺き下ろし梁２９の室内側開口部３２の間隔と略等しく形成され、前記上端部７および下端部８と前記嵌め込み片３との間隔ｄは、前記葺き下ろし梁２９の厚さと略等しく形成されており、好適に前記葺き下ろし梁２９に前記葺き下ろし用固定金具１を取付けることができるようにしている。なお、前記上端部７と下端部８の形態および位置は、前記嵌め込み片３とで好適に前記葺き下ろし梁２９の室内側開口部３２を嵌め込み支持することができればこれに限定されるものではない。
【０００７】
前記嵌め込み片３は、図１、図２および図６に示すように、断面略く字型であり、前記本体２の中央部４の長さ方向上端側縁に接続される上部嵌め込み片９と、該上部嵌め込み片９と同様に前記本体２の中央部４の長さ方向下端側縁に接続される下部嵌め込み片１０とを備えている。なお、前記上部嵌め込み片９と下部嵌め込み片１０の形態および位置は、前記上端部７および下端部８とで前記葺き下ろし梁２９の室内側開口部３２を好適に嵌め込み支持することができればこれに限定されるものではない。
【０００８】
前記取付け片５は、図１、図２に示すように、前記本体２の下方すなわち前記下端部８の下端縁に接続される接続部１１と、図５に示す葺き下ろし枠１４の室外側面に取付けられている裏面断熱材２１の反発力を考慮し、隣接する金属製内壁枠３１の室内側面と前記葺き下ろし枠１４の室内側面が大略そろうように設けられた折曲部１２と、前記葺き下ろし枠１４をビス等の固定具３０により固定する取付け孔６を有する取付け部１３とから形成されている。なお、取付け孔６の位置および個数は、前記葺き下ろし枠１４の上部を好適に取付けることができれば、これに限定されるものではない。
【０００９】
つぎに、建物の軸組２４の室内側に取付けられる金属製内壁枠のうち、前記軸組２４の葺き下ろし部を形成する葺き下ろし梁２９に取付けられる葺き下ろし枠１４ついて図面に基づいて説明する。
【００１０】
前述した葺き下ろし枠１４は、図３に示すように、垂直部材である縦枠１５と水平部材である横枠１６と斜め部材である斜め枠１７とによって外形が略台形となるように形成された金属製の枠体１８と、該枠体１８で囲まれた内側において前記縦枠１５に対して平行に設けられた縦桟１９と、前記枠体１８と縦桟１９とにより囲まれた内部に設けられた内部断熱材２０と、前記枠体１８の室外側面に設けられた裏面断熱材２１と、前記枠体１８の室内側面全体を覆うように貼り付けられた防湿シート２２とを有して構成されている。
【００１１】
このとき、前記枠体１８の外形寸法は、図４、図８および図９に示すように、前記葺き下ろし枠１４が取付けられる下地床２３から軸組２４の葺き下ろし梁２９の下部に設けられている斜め部材２５までの高さ、および前記軸組２４の垂直部材２６の配置間隔におおよそ合致するように形成されている。
【００１２】
前記内部断熱材２０は、袋体内にグラスウール、ロックウール等の断熱材料が収容されて構成されたものであり、その外形は、前記枠体１８および縦桟１９により囲まれた空間と略同一形状の略台形となるように形成されている。その取付けは、前記枠体１８および縦桟１９により囲まれた内部に嵌め込まれるとともに、前記裏面断熱材２１および防湿シート２２により両側から挟まれることによりおこなわれる。
【００１３】
前記裏面断熱材２１は、前記内部断熱材２０と同様に、袋体内にグラスウール、ロックウール等の断熱材料が収容されて構成されたものであり、その外形は、前記枠体１８の外形と略同一形状の略台形となるように形成されている。その取付けは、前記裏面断熱材２１を前記枠体１８の室外側面に重ねあわせるように配置し、前記裏面断熱材２１に図外のプラスチック板等の当て板を介して、図外の釘やステープル等の固定具を打ち込んで前記枠体１８または縦桟１９に固定することによりおこなわれる。
【００１４】
また、前記防湿シート２２は、薄いポリエチレンシートなどで構成されたものであり、その外形は、前記枠体１８の外形と略同一形状の略台形となるように形成されている。その取付けは、前記防湿シート２２を前記枠体１８の室内側面に両面テープ等により貼付けられることによりおこなわれる。
【００１５】
つぎに、前記葺き下ろし用固定金具１を用いて前記葺き下ろし枠１４を建物の軸組２４の葺き下ろし部を形成する葺き下ろし梁２９の室内側へ取付ける手順について説明する。
【００１６】
まず、図６および図７に示すように、葺き下ろし梁２９の室内側開口部３２の一方３３を前記本体２の上端部７と前記本体２の上部嵌め込み片９との間に挟んだ後、前記葺き下ろし用金具１を下方に回転させ、前記葺き下ろし梁２９の室内側開口部３２の他方３４を前記本体２の下端部８と前記本体２の下部嵌め込み片１０との間に嵌め込む。
【００１７】
このとき、前記本体２の中央部４の長さは前記葺き下ろし梁２９の室内側開口部３２の間隔と略等しく形成され、また、前記上端部７と前記上部嵌め込み片９および前記下端部８と前記下部嵌め込み片１０との間隔は、前記葺き下ろし梁２９の厚さと略等しく形成されているので、前記葺き下ろし梁２９に前記葺き下ろし用固定金具１を好適に取付けることができる。また、前記上部嵌め込み片９と下部嵌め込み片１０は略対角線上に設けられているので、前記葺き下ろし用固定金具１を回転させたときに、容易に前記葺き下ろし梁２９の室内側開口部３２の他方３４を挟み込むことができ、かつ略一直線上に設けるよりも強固に取付けることができる。
【００１８】
つぎに、図４、図５および図７に示すように、前記葺き下ろし梁２９に前記葺き下ろし用固定金具１を取付けた後、該葺き下ろし用固定金具１に前記葺き下ろし枠１４を取付ける。まず、前記葺き下ろし枠１４を下方から前記葺き下ろし用固定金具１と前記軸組２４の間に嵌め込む。このとき、前記葺き下ろし用固定金具１の折曲部１２と前記葺き下ろし枠１４の斜め枠１７とが略平行になるように嵌め込む。前記葺き下ろし枠１４を前記葺き下ろし用固定金具１と前記軸組２４の間に嵌め込んだ後、ビス等の固定具３０を前記葺き下ろし用固定金具１の取付け片５に設けられている取付け孔６に挿通し、図８に示すように、前記葺き下ろし枠１４を前記葺き下ろし用固定金具１に取付け固定する。
【００１９】
つぎに、葺き下ろし枠１４の長さ方向両下端部に取付けられている金属製内壁枠固定プレート２７を用いて下地床２３に前記葺き下ろし枠１４を取付けた後、隣接する金属製内壁枠３１と金属製内壁枠中央固定金具２８を用いて接続し、前記葺き下ろし枠１４を前記軸組２４に固定する。
【００２０】
以上のようにして前記軸組２４に前記葺き下ろし枠１４を取付けた後、石膏ボード３５を、図示しない釘やビス等の固定具を前記石膏ボード３５の室内側面から打ち込み、またはねじ込んで前記石膏ボード３５を前記葺き下ろし枠１４の枠体１８および縦桟１９に固定し、図９に示すように、前記葺き下ろし枠１４の室内側面に取付ける。
【００２１】
【発明の効果】
以上の説明からも明らかなように、この発明の葺き下ろし用固定金具は、建物の軸組の室内側に取付けられる金属製内壁枠のうち、前記軸組の葺き下ろし部に前記金属製内壁枠である葺き下ろし枠の上部を取付ける葺き下ろし用固定金具において、その上端側と中央部に前記軸組の構造体を形成する断面略Ｃ型の葺き下ろし梁の開口部を嵌め込み支持する嵌め込み片を有する本体と、該本体の下方と接続し、前記葺き下ろし枠の上方の室内側面に取付け固定する断面略く字型の取付け片とから形成されているので、前記軸組に葺き下ろし枠を取付ける場合において、前記葺き下ろし用固定金具と前記軸組の間に前記葺き下ろし枠の上部を嵌め込み、前記葺き下ろし用固定金具の取付け片に前記葺き下ろし枠の上部を取付けることにより、前記軸組に葺き下ろし枠を取付けるので、好適に、かつ容易に前記軸組に前記葺き下ろし枠を取付けることができるという利点がある。
【図面の簡単な説明】
【図１】本発明の実施形態に係る葺き下ろし用固定金具を示す斜視図
【図２】本発明の実施形態に係る葺き下ろし用固定金具を示す側面図
【図３】葺き下ろし枠を示す一部破断斜視図
【図４】葺き下ろし枠の取付け構造を示す一部破断斜視図
【図５】図４のＡ部拡大図
【図６】図５のＢ−Ｂ部拡大断面図
【図７】図５のＣ部拡大側面図
【図８】葺き下ろし枠を葺き下ろし用固定金具に取付けた状態を示す図４のＡ部拡大図
【図９】葺き下ろし枠を葺き下ろし用固定金具に取付けた状態を示す図５のＣ部拡大側
面図
【符号の説明】
１  葺き下ろし用固定金具
２  本体
３  嵌め込み片
４  中央部
５  取付け片
１４  葺き下ろし枠
２４  軸組
２９  葺き下ろし梁
３２  室内側開口部
【図１】
0003847037.tif 000002
【図２】
0003847037.tif 000003
【図３】
0003847037.tif 000004
【図４】
0003847037.tif 000005
【図５】
0003847037.tif 000006
【図６】
0003847037.tif 000007
【図７】
0003847037.tif 000008
【図８】
0003847037.tif 000009
【図９】
0003847037.tif 000010